(57)【特許請求の範囲】
【請求項１】
薄いバネ板状の舌部片を出入自在に取付けてなる円形リング状の枠と、該円形リング状の枠に回転自在に配置され中心に円孔を有する円板状の第一回転体と、該円形リング状の枠に回転自在に配置され中心に第一回転体の中心円孔と同径の円孔を有する円板状の第二回転体とを有し、第一回転体と第二回転体とは、前記円形リング状の枠の内周面のフランジ部に支持されつつ互いに連結され、かつ、両回転体の間に切断刃収納空間が形成され、該切断刃収納空間内に３枚の切断刃が等間隔に収納配置され、該３枚の切断刃はその一端が前記円形リング状の枠の内周面に係入され、他端を第一回転体又は第二回転体に連結して、前記円形リング状の枠と両回転体との相対的回転により中心円孔を開閉するように３枚の切断刃を回動させるようにしたカッターの、前記舌部片の外端には摘み部を形成し、該舌部片の切断刃収納空間内に延び出した内端には突起を形成するとともに、第一回転体の内面の周方向には突起が係入する凹部を間隔を介して複数形成し、前記舌部片を円形リング状の枠外方に引き出した状態において、円形リング状の枠と第１，第２回転体との相対的回転を前記突起と凹部の係入により段階的に規制しつつ回転自在とし、円形リング状の枠と第一回転体には指掛け部を有する柄を固着させたことを特徴とするカッター。
【発明の詳細な説明】
【０００１】
【発明の属する分野】
この発明は、葉巻や電線コードなど細長で断面が円形の物体について  断面の全部又は一部を切断するために使用するカッターに関する。
【０００２】
【従来の技術】
従来、葉巻に用いるカッターは、半円形の切断刃を交差させる鋏タイプのものや、円形の穴を横断する切断刃を備えた押切タイプのもの等が知られている。また、電線の接続作業に必要な線心を取り出すために、電線の保護被覆を切断し除去する工具としては、専用のニッパーを使用するか、一般家庭であればペンチで代用するなどの方法がとられている。この発明は、葉巻や電線など細長で断面が円形の物体について、断面の全部または一部を切断するカッターに関するものである。従来の鋏タイプの葉巻カッターは、支点を中心に一端に切断刃を形成し、他端に指掛け部を形成した二本の鋏部片を支点で軸支した構造が一般的である。また、電線の保護被覆除去に使用するニッパーやペンチなども基本的には同様の構造である。しかしながら、かかる構造の鋏タイプでは、断面円形のものを周囲から同じバランスで均等な力を加えてその全部又は一部を切断するためには微妙な力加減を必要とし、切断の際にはどうしても鋏の左右両方向からの切断力がより強くかかるために、葉巻では切断面が変形しやすく、また電線では保護被覆のみを切断するつもりが誤って内部の線心まで切断したり、傷をつけたりしがちであった。
【０００３】
【発明が解決しようとする課題】
この発明は、葉巻や電線など細長で断面が円形の物体について使用するものであり、葉巻であれば先端を切断面が変形することなく切断して吸口部を作出し、電線であれば内部の線心を傷つけたりすることなく保護被覆のみを切断し除去するためのカッターを提供せんとするものである。
【０００４】
上記課題を解決するためにこの発明が採った手段は、薄いバネ板状の舌部片を出入自在に取付けてなる円形リング状の枠と、該円形リング状の枠に回転自在に配置され中心に円孔を有する円板状の第一回転体と、該円形リング状の枠に回転自在に配置され中心に第一回転体の中心円孔と同径の円孔を有する円板状の第二回転体とを有し、第一回転体と第二回転体とは、前記円形リング状の枠の内周面のフランジ部に支持されつつ互いに連結され、かつ、両回転体の間に切断刃収納空間が形成され、該切断刃収納空間内に３枚の切断刃が等間隔に収納配置され、該３枚の切断刃はその一端が前記円形リング状の枠の内周面に係入され、他端を第一回転体又は第二回転体に連結して、前記円形リング状の枠と両回転体との相対的回転により中心円孔を開閉するように３枚の切断刃を回動させるようにしたカッターの、前記舌部片の外端には摘み部を形成し、該舌部片の切断刃収納空間内に延び出した内端には突起を形成するとともに、第一回転体の内面の周方向には突起が係入する凹部を間隔を介して複数形成し、前記舌部片を円形リング状の枠外方に引き出した状態において、円形リング状の枠と第１，第２回転体との相対的回転を前記突起と凹部の係入により段階的に規制しつつ回転自在とし、円形リング状の枠と第一回転体には指掛け部を有する柄を固着させたことを特徴とする。
【０００６】
【発明の実施の形態】
この発明の好ましい実施の形態を、以下に詳細に説明する。図面を参照して、図１はこの発明にかかるカッターであり、円形リング状の枠に柄を介して固着された指掛け部と、第一回転体に柄を介して固着された指掛け部とを左右に開いて、枠と回転体との相対的回転により、一端を枠の内周面に係入され他端を第一回転体に連結した３枚の切断刃を回動させて中心円孔を開き、葉巻(１)の先端を切断せんとする状態を、また図２は電線の保護被覆(２)を切断除去せんとして摘み部(15)を外方へ引きだして舌部片の内端の突起を第一回転体の内面の凹部に当接させ、枠と回転体との相対的回転を規制することにより切断刃の回動を規制するようにした状態を示している。図３は本カッターの分解斜視図を示し、(３)は柄(4a)を介して指掛け部(5a)を有する円形リング状の枠であり、枠の内周には３カ所の凹部(６)が設けられ、３枚の切断刃(7a)(7b)(7c)の夫々の一端(8a)(8b)(8c)が係入される。(９)は第一回転体であり、中心に切断する物体を挿入するための円孔(10)を有し、第一回転体の一部には柄(4b)を介してもう一方の指掛け部(5b)が形成されている。(11)は第二回転体であり、第二回転体の内面３カ所にネジを螺挿するためのネジ筒(12)が設立され、３枚の切断刃のうちの１枚(7c)は刃を下にしてその一端がネジ筒(12)に固着されている。残る２枚の切断刃(7a)(7b)は刃を上にして夫々の一端が上蓋(９)の３カ所で軸ピン(13)により軸支されている。(14)は薄いバネ板状の舌部片であり、外端に摘み部(15)を有し内端には突起(16)を有する。
【０００７】
図４〜図６を参照して、図４は図３に示した円形リング状の枠(３)のＡ−Ａ'線に沿った断面図であり、(17)は第一回転体（９)と第二回転体(11)との間に３枚の切断刃(7a)(7b)(7c)が収納されている空間である。図５は同じく図３に示した円形リング状の枠(３)のＢ−Ｂ'線に沿った断面図であり、切断刃(7a)(7b)(7c)の一端(8a)(8b)(8c)が係入される凹部(６)が示されている。図６は同じく図３に示した円形リング状の枠(３)のＣ−Ｃ'線に沿った断面図であり、(18)は舌部片(14)を出入自在とするために円形リング状の枠(３)を貫通して形成されたスリットである。
【０００８】
図７は指掛け部(5a)(5b)を閉じた状態であり、切断刃(7a)(7b)(7c)の回動はなく、従って中心円孔も完全に閉じた状態を示す。図８は１枚の切断刃(7a)の動きを示したもので、指掛け部(5a)を開くと、一端(8a)を円形リング状の枠内の凹部(６)に係入され他端を軸ピン(13)により第一回転体に回転自在に連結された切断刃(7a)が時計と逆方向に動き、円形リング状の枠(３)と第一回転体との相対的回転により中心部の円孔(10)が開いてゆく。図９は指掛け部(5a)(5b)を一杯に開き、中心円孔(10)が全開した状態、図10は中心円孔(10)が半開の状態を夫々示す。図11は図10のＤ−Ｄ'線に沿った断面図であり円形リング状の枠(３)の収納空間内に収容された切断刃(7a)(7b)(7c)のうちの１枚の切断刃(7b)が軸ピン(13)により連結されている状態を示す。
【０００９】
図12〜図20は薄いバネ板状の舌部片(14)の機能を示したものである。図12は、舌部片(14)の内端に形成された突起(16)が円形リング状の枠(３)の一部に設けられたスリット(18)を通って枠内の切断刃収納空間内に延び出している状態を示している。第一回転体(10)の内面を示し、スリット(18)を通って枠内に挿入された舌部片(14)の内端の突起(16)が当接する凹部(19)が隣り合わせに５カ所形成されている。図13を参照して、舌部片(14)の摘み部(15)が枠(３)に一杯に押し込まれているときは、内端の突起(16)の位置が第一回転体(10)の内面に設けられた凹部(19)よりも内側にくるので、突起(16)が凹部(19)に当接せず、従って指掛け部(5a)(5b)を左右に開いたときの３枚の切断刃も規制を受けずにスムーズに開いて円孔は全開に至る。スリット(18)の円形リング状の枠(３)における位置は、舌部片(14)を摘み部(15)により枠内に完全に押し込んだとき、舌部片(14)の内端に形成された突起(16)が切断刃の一番上の刃即ち(7a)の上に載置されるような位置が望ましい。図15、図17、図19を参照して、図15は図13の舌部片(14)付近を拡大したものである。図15のＥ−Ｅ’線に沿った断面図が図17であり、またＧ−Ｇ’線に沿った断面図が図19である。舌部片(14)の内端の突起(16)は第一回転体(10)の内面に設けられた凹部(19)よりも内側に位置し、第一回転体内面の平坦な部分に当接しているので、指掛け部(5a)(5b)を左右に開いたとき何の抵抗も受けずにスムーズに切断刃が開き中心円孔が全開される。そして葉巻を挿入して先端を切断せんとするとき、指掛け部(5a)(5b)を閉じると３枚の切断刃が半円を描くように閉じてゆくことにより、葉巻の周囲に切断力が均等にかかり、葉巻の先端は変形することなく切断される。
【００１０】
図14、16、18、20を参照して、図14は舌部片(14)の摘み部(15)を外方へ引き出した時のカッターの動きを示す。図16は図14に示す舌部片(14)付近を拡大したものである。図16のＦ−Ｆ’線に沿った断面図が図18であり、図16のＨ−Ｈ’線に沿った断面図が図20である。摘み部(15)を外方へ引き出すと、舌部片(14)の内端上にある突起(16)が外側へ移動して第一回転体(10)の内面に設けられた凹部(19)に当接することになる。この状態で指掛け部(5a)(5b)を左右に開くと、突起(16)は５カ所の凹部(19)に次々とはまり込む。最初の凹部にはまり込んだ位置から次の凹部に突起(16)が移動する際に凹部と凹部との間の４カ所の平坦部(20)が抵抗となって突起(16)を押し、枠と回転体との相対的回転が規制され、従って指掛け部(5a)(5b)の開きが規制され、それに伴って３枚の切断刃の動きも規制される。この規制の回数は、凹部(19)が５カ所、凹部と凹部との間の平坦部(20)が４カ所あることにより、３枚の切断刃は全開するまでに４段階で開きを規制されることになる。凹部の数を増減することにより、枠と回転体との相対的回転が規制される段階が増減し、切断刃の規制の段階も増減することは勿論である。電線の保護被覆(２)を切断除去する場合は、先ず摘み部(15)を内方へ押し込んだ状態で指掛け部(5a)(5b)を左右に一杯に開くと、枠と回転体との相対的回転により、一端を枠の内周面に係入され他端を第一回転体に連結した３枚の切断刃がスムーズに回動して中心円孔が全開となるので、円孔へ電線を所望の長さだけ挿入する。次に摘み部(15)を外方へ引き出して舌部片(14)の突起(16)を外側へ移動させ、第一回転体内面の凹部(19)に当接させることにより、３枚の切断刃の動きを規制の状態に置いてから、指掛け部(5a)(5b)を閉じると、切断刃の動きは段階的に規制されながら閉ざされ電線を挟み込む。電線を挟み込んだあと指掛け部(5a)(5b)にさらに徐々に力を加えると保護被覆(２)のみを切断することができる。この時、３枚の切断刃の動きが規制されているので、指掛け部に力を加えても急激に切断刃が閉じることがなく、保護被覆(２)を切り過ぎて内部の線心まで誤って切ったり、傷つけたりすることがない。そして、切断刃を規制したままの状態でカッターを手前に引けば、保護被覆(２)のみが手前にしごかれて除去される。
【００１１】
舌部片(14)の摘み部(15)を外方へ引いて突起(16)の上面を第一回転体内面の凹部(19)の間の平坦部(20)に当接させた際、突起(16)の下面は３枚の切断刃の上に置かれる。即ち突起(16)は切断刃(7a)と第一回転体(10)との間に位置することになるので、突起(16)が３枚の切断刃を下方へ押圧することにより、逆に３枚の切断刃の上方への復元力が規制をさらに強いものとする。
【００１２】
図示に実施態様において、指掛け部(5a)(5b)の形状は、指をかけてカッターを操作することが出来る構造であれば如何なる形状、構造であっても良い。
【００１３】
【発明の効果】
この発明によれば、カッターの指掛け部を左右に開いて中心の円孔に細長で断面円形の物体を挿入して指掛け部を閉じると、３枚の切断刃が挿入した物体を均等に押し包んで半円を描くように押し切るので、葉巻などは変形することなく切断できる。また、摘み部を外方へ引き出すことにより、枠と回転体との相対的回転が規制され、それに伴って３枚の切断刃の動きが途中で規制されるので、電線の保護被覆を切断除去する場合など微妙な力加減を要するものでも、安心してごく微量の力により内部の線心を傷つけることなく切断除去できる。
【図面の簡単な説明】
【図１】この発明にかかるカッターの葉巻への使用状態を示す斜視図
【図２】同じく電線の保護被覆除去への使用状態を示す斜視図
【図３】分解斜視図
【図４】図３Ａ−Ａ’線に沿った断面図
【図５】図３Ｂ−Ｂ’線に沿った断面図
【図６】図３Ｃ−Ｃ’線に沿った断面図
【図７】カッターが閉じた状態の平面図
【図８】切断刃の動きを示す平面図
【図９】カッターが全開の状態の平面図
【図１０】カッターが半開の状態の平面図
【図１１】図10Ｄ−Ｄ’線に沿った断面図
【図１２】舌部片と第一回転体内面の凹部の関係を示す斜視図
【図１３】摘み部を押し込んだ状態でのカッターの動きを示す平面図
【図１４】摘み部を引き出した状態でのカッターの動きを示す平面図
【図１５】摘み部を押し込んだ状態での舌部片付近の拡大図
【図１６】摘み部を引き出した状態での舌部片付近の拡大図
【図１７】図15のＥ−Ｅ’線に沿った断面図
【図１８】図16のＦ−Ｆ’線に沿った断面図
【図１９】図15のＧ−Ｇ’線に沿った断面図
【図２０】図16のＨ−Ｈ’線に沿った断面図
【符号の説明】
(１)葉巻
(２)電線の保護被覆
(３)円形リング状の枠
(４a)(４b)指掛け部に連接する柄
(５a)(５b)指掛け部
(６)凹部
(７a)(７b)切断刃
(８a)(８b)切断刃の端部
(９)第一回転体
(10)円孔
(11)第二回転体
(12)ネジ筒
(13)軸ピン
(14)舌部片
(15)摘み部
(16)突起
(17)切断刃収納空間
(18)スリット
(19)凹部
(20)平坦部
【図１】
0004159057.tif 000002
【図２】
0004159057.tif 000003
【図３】
0004159057.tif 000004
【図４】
0004159057.tif 000005
【図５】
0004159057.tif 000006
【図６】
0004159057.tif 000007
【図７】
0004159057.tif 000008
【図８】
0004159057.tif 000009
【図９】
0004159057.tif 000010
【図１０】
0004159057.tif 000011
【図１１】
0004159057.tif 000012
【図１２】
0004159057.tif 000013
【図１３】
0004159057.tif 000014
【図１４】
0004159057.tif 000015
【図１５】
0004159057.tif 000016
【図１６】
0004159057.tif 000017
【図１７】
0004159057.tif 000018
【図１８】
0004159057.tif 000019
【図１９】
0004159057.tif 000020
【図２０】
0004159057.tif 000021